(57)【要約】【課題】リフレクタ及び反射シートを一体的に形成して成る反射部材を有する、液晶表示装置のためのバックライトを改良する。【解決手段】バックライト１０は、導光板１１と、管状の光源と、管状の光源の３方を囲むリフレクタ１３ａ及び導光板１１の背面に配置される反射シート１３ｂを一体的に形成した反射部材１３とを有し、これらをバックライトシャーシのケース部分１４ｂで一体的に支持している。リフレクタ１３ａが、コーナー部１０ａに側板延長部１３ｃを有し、側板延長部１３ｃは、管状の光源を支持するランプ保持部材１５と、バックライトシャーシのケース部分１４ｂとの間に挟まれて支持される。これによって、リフレクタ１３ｂの前面縁部がＬＣＤパネルの中央方向に移動して、その表示領域に現れることを抑制する。【選択図】　　図１
2004111153.tif 000002
【特許請求の範囲】
【請求項１】
前面に照光面を有する略長方形状の導光板と、
前記導光板の側面のうち少なくとも１つの側面に沿って延びる管状の光源と、
前記光源の前記導光板に近い側の側面を除いて前記光源の周囲を囲むリフレクタと前記導光板の背面を覆う反射シートとを有し前記光源からの光を前記導光板の照光面側に導く反射部材と、
前記反射部材と前記導光板とを一体的に収容して支持するシャーシとを備えるバックライトにおいて、
前記光源を前記シャーシ又は反射部材のコーナー部に支持する光源支持部材を備え、
少なくとも前記リフレクタの一部が前記シャーシと前記光源支持部材との間に介在し、
前記光源支持部材は、前記リフレクタの少なくとも前面縁部の、前記導光板の前面と平行方向における前記シャーシとの間の相対移動を規制することを特徴とするバックライト。
【請求項２】
前記光源支持部材は、前記光源の横断面方向で見た断面形状が、前記導光板側に開口を有する略コの字状に形成される、請求項１に記載のバックライト。
【請求項３】
前記光源支持部材の断面形状は、前記反射部材のコーナー部の断面形状に適合して前記リフレクタの変形を規制する、請求項２に記載のバックライト。
【請求項４】
前記反射部材は、前記コーナー部で前面側及び背面側の少なくとも一方に前記シャーシを露出させる切欠きを有し、前記光源支持部材は、該切欠きから露出するシャーシの部分で該シャーシに支持される、請求項２に記載のバックライト。
【請求項５】
前面に照光面を有する略長方形状の導光板と、
前記導光板の側面のうち少なくとも１つの側面に沿って延びる管状の光源と、
前記光源の前記導光板に近い側の側面を除いて前記光源の周囲を囲むリフレクタと前記導光板の背面を覆う反射シートとを有し前記光源からの光を前記導光板の照光面側に導く反射部材と、
前記反射部材と前記導光板とを一体的に収容して支持するシャーシとを備えるバックライトにおいて、
前記反射部材は、前記リフレクタの前面側に前記シャーシと係合する係合片を有し、該係合片は、前記リフレクタの少なくとも前面縁部の、前記導光板と平行方向における前記シャーシとの間の相対移動を規制することを特徴とするバックライト。
【請求項６】
前記導光板と前記反射部材とは、前記リフレクタの前面縁部で粘着テープによって接着される、請求項１から５の何れかに記載のバックライト。
【請求項７】
請求項１から６の何れかに記載のバックライトと、該バックライトの前記照光面から受光する液晶パネルとを備えることを特徴とする液晶表示装置。
【発明の詳細な説明】
【０００１】
【発明の属する技術分野】
本発明は、バックライト及び液晶表示装置に関し、更に詳しくは、液晶表示装置に使用され、光源用のリフレクタが導光板用の反射シートと一体的に形成される反射部材を有するバックライト、及び、これを備える液晶表示装置に関する。
【０００２】
【従来の技術】
液晶表示装置は、近年、コンピュータのディスプレイ装置の他に、テレビジョンや携帯電話機等の分野で広範囲に使用されている。従来のバックライトを有する液晶表示装置（以下、ＬＣＤ装置とも呼ぶ）について、図８を参照して説明する。このＬＣＤ装置は、例えば、特開２００２−４０４１３号公報に記載されている。
【０００３】
【特許文献１】
特開平２００２−４０４１３号公報　図１０、図１２、図３
【０００４】
従来のＬＣＤ装置は、図８に示すように、一対の基板の間に液晶層を挟む液晶パネル２０、液晶パネル２０のために照明光を発生するバックライト１０、バックライト１０と液晶パネル２０との間に配設されてバックライト１０からの照明光を液晶パネル２０に供給する光学シート３０、及び、これらを一体的に収容する外枠（図示せず）を備える。
【０００５】
バックライト１０は、前面に照光面１１ａを有する略長方形状の導光板１１と、長方形状の導光板１１の３つの辺に沿って延びる管状の光源１２と、光源１２からの光を導光板１１の照光面１１ａ側に導く反射部材４３と、反射部材４３と導光板１１とを一体的に収容して支持するバックライトシャーシ４３ａ、４３ｂとを備える。反射部材４３は、導光板１１の背面側に貼付される反射シート４３ｂと、光源１２の前面、背面、及び、導光板１１から遠い側面の３方向の光源周囲を囲むリフレクタ４３ａとが一体的に形成された、一体型の反射部材として構成されている。
【０００６】
上記一体型の反射部材４３は、例えば、ポリエチレンテレフタレート（ＰＥＴ）に反射膜を塗布した１枚のシート部材から形成される。反射部材４３を形成するためのシート部材の形状、及び、反射部材４３の最終形状をそれぞれ、図９（ａ）及び（ｂ）に示した。同図（ａ）に示す、厚さ２００μｍ程度のフィルム状のシート４８を用意し、予めミシン目を付けた各破線部分で折り曲げて、同図（ｂ）に示すような、反射シート４３ｂとリフレクタ４３ａとが一体に形成された反射部材４３に形成する。ミシン目は、その切れ目がリフレクタの外周部に存在しないように形成される。
【０００７】
図８に戻り、バックライトシャーシ１４は、液晶パネル２０と導光板１１及び反射部材１３との間に配置される、導光板１１及び反射部材１３とを液晶パネル２０に対して位置決めするシャーシ本体部分１４ａ、及び、導光板１１及び反射部材４３を一体として収容するケース部分１４ｂとから構成される。ＬＣＤパネルの表示領域の外縁は、シャーシ本体部分１４ａの照光面側の縁部の直近内側にある。反射部材４３のリフレクタ４３ａは、その前面側の縁部が導光板１１の照光面１１ａと粘着テープによって接着されて、導光板１１と位置決めされる。
【０００８】
上記従来のバックライトでは、周囲温度の変動によって、また、バックライト光源の点灯及び消灯に起因する温度変化によって、導光板１１と反射部材４３のリフレクタ４３ａの前面との間で相対移動が生ずるという問題がある。この相対移動は、温度上昇による粘着テープの粘着力の低下、粘着テープと導光板１１の間の熱容量の違い、及び、導光板１１の温度膨張によって生ずる。
【０００９】
例えば、バックライト光源１２が点灯し、その周囲温度が上昇すると、先ず、粘着テープの粘着力が低下し、次いで、導光板１１が膨張しその縁部はバックライトシャーシ１４の外縁方向に移動する。このとき、リフレクタ４３ａの前面部は、その側面部がバックライトシャーシ１４のケース部分１４ｂに支持されているので、それ以前の位置を維持する。このため、導光板１１の縁部は、リフレクタ４３ａの前面縁部に対して、バックライトシャーシ１４の外縁方向に相対的に移動する。その後、温度が低下すると、先ず、粘着テープの粘着力が回復し、次いで、導光板１１が収縮するので、リフレクタ４３ａの前面縁部は、粘着テープを介して導光板１１の縁部に引っ張られ、リフレクタ４３の側面部の前縁がバックライトシャーシのケース部分１４ｂから離れ、ＬＣＤパネルの中央方向に移動する。このような温度変化を繰り返すことによって、リフレクタ４３の前縁部は、徐々にＬＣＤパネルの中央部に非可逆的に移動し、やがては、ＬＣＤパネルの表示領域に現れて表示不良となるものである。
【００１０】
前掲公報では、上記のような問題を解決するために、図１０に示すように、反射シート４３ｂとリフレクタ４３ａとを一体化した反射部材４３の内で、リフレクタ４３ａの前面側のみを別体の部材４３ｃとして形成し、導光板の膨張及び収縮の際には、リフレクタ４３ａの前面側が導光板と一体的に移動できるようにして、前記表示不良を防止している。
【００１１】
【発明が解決しようとする課題】
上記公報に記載のバックライトは、従来のバックライトの欠点である、ＬＣＤ装置に発生する表示不良を防止可能であるものの、以下の欠点が新たに発生する。つまり、リフレクタ及び反射シートを一体に形成した反射部材で、リフレクタの前面側を別体にしたことにより、一体型の反射部材としての利点が薄れ、反射部材の部品点数、ひいては、ＬＣＤ装置の部品点数が増加し、その組立工数を増大させるものである。
【００１２】
また、リフレクタの前面側と側面側とを分離したので、その隙間から塵埃が侵入する懼れが増大し、また、その隙間から光が漏洩してバックライトの照明効率が低下する欠点もある。
【００１３】
本発明は、上記に鑑み、従来のリフレクタ及び反射シートを一体に形成して成る反射部材を有するバックライトを改良し、リフレクタの移動に起因する表示不良が生じない一体型の反射部材を有するバックライトを提供することを目的とする。
【００１４】
本発明は、また、上記バックライトを有するＬＣＤ装置を提供することをもその目的とする。
【００１５】
【課題を解決するための手段】
上記目的を達成するために、本発明の第１の視点に係るバックライトは、前面に照光面を有する略長方形状の導光板と、該導光板の側面のうち少なくとも１つの側面に沿って延びる管状の光源と、該光源の前記導光板に近い側の側面を除いて前記光源の周囲を囲むリフレクタと前記導光板の背面を覆う反射シートとを有し前記光源からの光を前記導光板の照光面側に導く反射部材と、該反射部材と前記導光板とを一体的に収容して支持するシャーシとを備えるバックライトにおいて、
前記光源を前記シャーシ又は反射部材のコーナー部に支持する光源支持部材を備え、少なくとも前記リフレクタの一部が前記シャーシと前記光源支持部材との間に介在し、前記光源支持部材は、前記リフレクタの少なくとも前面縁部の、前記導光板の前面と平行方向における前記シャーシとの間の相対移動を規制することを特徴とする。
【００１６】
本発明の第１の実施形態例に係るバックライトによると、光源支持部材が、リフレクタの前面縁部の、導光板と平行方向におけるシャーシとの間の相対移動を規制するので、反射部材の一体性を維持しながらも、リフレクタの前面縁部がＬＣＤ装置の表示領域に移動して発生する表示不良を防止できる。
【００１７】
ここで、本発明のバックライトは、導光板と反射部材とが、リフレクタの前面縁部で粘着テープによって接着される型式のバックライトに適用して、特に上記作用が良好に得られる。
【００１８】
本発明の好ましい態様のバックライトでは、例えば、光源支持部材の、光源の横断面方向で見た断面形状が、導光板側に開口を有する略コの字状に形成される。この場合、光源支持部材は、その前面側及び背面側の部分が、シャーシ又は反射部材によって好適に支持される。光源支持部材の他の断面形状としては、矩形の内側に光源の外径とほぼ等しい直径を有する円形の切欠きが形成される形状が例示できる。
【００１９】
また、前記光源支持部材のコの字状の断面形状が、反射部材のコーナー部の断面形状に適合して、リフレクタの変形を規制することも本発明の好ましい態様である。この場合、断面コの字状の光源支持部材は、リフレクタの変形を防止して、その前面側のＬＣＤパネル中央方向への移動を防止する。
【００２０】
或いは、上記に代えて、反射部材がコーナー部で前面側及び背面側の少なくとも一方にシャーシを露出させる切欠きを有し、略コの字状の光源支持部材が、この切欠きから露出するシャーシの部分でシャーシに支持される構成を採用することも出来る。この場合、反射シートの側面部が、コーナー部で光源支持部材とシャーシとの間に挟まれて、前面部の移動が規制される。
【００２１】
本発明の第２の視点に係るバックライトは、前面に照光面を有する略長方形状の導光板と、該導光板の側面のうち少なくとも１つの側面に沿って延びる管状の光源と、該光源の前記導光板に近い側の側面を除いて前記光源の周囲を囲むリフレクタと前記導光板の背面を覆う反射シートとを有し前記光源からの光を前記導光板の照光面側に導く反射部材と、該反射部材と前記導光板とを一体的に収容して支持するシャーシとを備えるバックライトにおいて、
前記反射部材は、前記リフレクタの前面側に前記シャーシと係合する係合片を有し、該係合片は、前記リフレクタの少なくとも前面縁部の、前記導光板と平行方向における前記シャーシとの間の相対移動を規制することを特徴とする。
【００２２】
本発明の第２の視点に係るバックライトにおいても、第１の視点に係るバックライトと同様に、リフレクタの前面縁部の、導光板と平行方向におけるシャーシとの間の相対移動が規制されるので、反射部材の一体性を維持しながらも、リフレクタの前面縁部がＬＣＤ装置の表示領域に移動して発生する表示不良を防止できる。
【００２３】
本発明の液晶表示装置は、上記本発明のバックライトと、該バックライトの前記照光面から受光する液晶パネルとを備えることを特徴とする。上記バックライトが持つ利点を有する液晶表示装置が得られる。
【００２４】
【発明の実施の形態】
以下、図面を参照し、本発明の実施形態例に基づいて本発明を更に詳細に説明する。図１は、本発明の第１の実施形態例に係るバックライトを、そのバックライトシャーシの本体部分を除いて照光面側から見た正面図である。また、図２は、このバックライトを備えるＬＣＤ装置の断面図で、この断面図は、図１のＩＩ−ＩＩ矢視の位置に相当する。
【００２５】
本実施形態例のバックライト１０は、図１及び図２に示すように、前面に照光面１１ａを有する略長方形状の導光板１１と、略長方形状の導光板１１の３つの辺に沿ってコの字状に延びる冷陰極管１２と、冷陰極管１２の前面、背面、及び、導光板１１から遠い側の側面の３方の周囲を囲むリフレクタ１３ａと導光板１１の背面を覆う反射シート１３ｂとを一体的に有し、冷陰極管１２からの光を導光板１１の照光面１１ａ側に導く反射部材１３と、バックライト１０の導光板１１と液晶パネル２０との間に配置されて、導光板１１の照光面１１ａから液晶パネル２０に向けて平行光線を導入する光学シート３０と、反射部材１３と導光板１１とを一体的に収容して支持するバックライトシャーシ１４とを備える。
【００２６】
冷陰極管１２の末端部分は、略直方体形状で内部に筒状の貫通穴を有するランプ保持部材１６を介して、バックライトシャーシ１４に支持される。また、冷陰極管１２は、バックライト１０の各コーナー部で、断面がコの字状のゴム製ランプ保持部材１５を介してバックライトシャーシ１４に支持される。光学シート３０は、拡散シート、レンズシート、偏光シート等が積層された積層構造を有する。冷陰極管１２の電源線３１は、ソケット３２によって、図示しないランプ点灯回路のプリント基板の電源線に接続される。
【００２７】
ＬＣＤ装置は、図２に示すように、バックライト１０と、その前面側に配置される液晶パネル２０と、バックライト１０、液晶パネル２０及び光学シート３０を一体的に保持する外枠４０とを備える。
【００２８】
バックライトシャーシ１４は、バックライト１０の光学シート３０と、液晶パネル２０との間に配置されて、バックライト１０を液晶パネル２０に対して位置決めするシャーシ本体部分（位置決め部材）１４ａと、導光板１１及び反射部材１３を収容するケース部分１４ｂとから成る。外枠４０の表示面に隣接する内縁の直近内側が、ＬＣＤ装置の表示領域の外縁を構成する。リフレクタ１３ａの照光面１１ａ側の縁部は、両面テープ１７によって、導光板１１に接着されている。
【００２９】
図３は、図１に示したバックライト１０のコーナー部１０ａの詳細を示し、図４は、図３のＩＶ−ＩＶ矢視を示している。バックライト１０の各コーナー部１０ａには、パネルの表示面に垂直な方向の断面が略コの字状を成すランプ保持部材１５、又は、断面が冷陰極間１２の外径とほぼ等しい円形状を成すランプ保持部材１６が配置される。ランプ保持部材１５、１６は、反射部材１４のリフレクタ１３ａの終端によって露出するバックライトシャーシ１４ａ及び１４ｂによって挟まれている。ランプ保持部材１５と１６は、その平面形状がそれぞれＬ字形状又は直方形状を有する。
【００３０】
各ランプ保持部材１５、１６の側面と、バックライトシャーシ１４のケース部分１４ｂとの間には、リフレクタ１３ａから延びる側板延長部１３ｃが配置され、この側板延長部１３ｃを挟むランプ保持部材１５及びバックライトシャーシ１４ｂによって、リフレクタ１３ａの前面縁部のパネルと平行方向の移動が規制される。換言すると、反射部材１３は、コーナー部１０ａで前面側及び背面側にシャーシのケース部分１４ｂを露出させる切欠きを有し、ランプ保持部材１５は、この切欠きから露出するケース部分１４ｂに支持され、側板延長部１３ｃをケース部分１４ｂに押し付けることで、リフレクタ１３ａのパネル中央方向への移動を規制する。
【００３１】
図５（ａ）及び（ｂ）はそれぞれ、リフレクタ１３ａ及び反射シート１３ｂを含む反射部材１３を製作するためのシート部材１８の構成、及び、それを折り曲げた最終形状の反射部材１３を示している。同図（ａ）に点線で示した部分が、シート部材１８の折り曲げ位置となる。シート部材１８は、例えば、ポリエチレンテレフタレート（ＰＥＴ）に反射膜をコーティングして形成する。各折り曲げ位置には、予めミシン目が付けられる。シート部材１８は、点線部分で折り曲げた後に、リフレクタ１３ａの前面部及び側面部となる外縁部分１８ａ１、１８ａ２と、反射シート１３ｂとなる中央部分１８ｂと、側板延長部１３ｃになる、外縁部分１８ａ２からの延長部分１８ｃとから成る。図５（ｂ）に示すように、リフレクタ１３ａは、側板延長部１３ｃを除いて、各コーナー部１０ａの外側で終端している。
【００３２】
本実施形態例のバックライト１０は、ランプ保持部材１５によって、反射部材１３のリフレクタ１３ａの前面側縁部の非可逆的な移動を防ぎ、リフレクタ１３ａの縁部が表示領域に現れることによって生ずる表示不良を防止する例である。
【００３３】
図６は、本発明の第２の実施形態例に係るバックライトのコーナー部の断面を図４と同様に示している。本実施形態例のバックライトでは、リフレクタ１３ａが、バックライトシャーシ１４のケース部分１４ｂに係合する、略コの字状の折り曲げ部１３ｄ（１３ｄ１、１３ｄ２）を、その側板延長部分１３ｃの前面側に隣接して有する。その他の構成は、先の実施形態例のバックライトと同様である。折り曲げ部１３ｄと、バックライトシャーシ１４のケース部分１４ｂとが係合することで、リフレクタ１３ａの前面部のパネル中央方向への移動が規制される。なお、本実施形態例では、側板延長部１３ｃから折り曲げ部１３ｄを延長する例を示したが、これに限らず、コーナー部分１０ａに隣接するリフレクタ１３ａの前面部から延長してもよい。
【００３４】
図７（ａ）及び（ｂ）はそれぞれ、第２の実施形態例におけるリフレクタ１３ａ及び反射シート１３ｂを含む反射部材１３を製作するためのシート部材１８の構成、及び、それを折り曲げた際の最終形状の反射部材１３のコーナー部分を示している。同図（ａ）に示すように、本実施形態例のバックライトに使用するシート部材は、図５（ａ）に示したシート部材とほぼ同様な形状を有し、それに加えて、側板延長部分１８ｃから更に延長する延長部分１８ｄ１、１８ｄ２を有している。各点線部分で折り曲げた後は、同図（ｂ）に示すように、側板延長部分１３ｃから延長し、バックライトシャーシのケース部分１４ｂの外側に折れ曲がり、このケース部分１４ｂと係合する折り曲げ１３ｄ１、１３ｄ２が得られる。
【００３５】
本実施形態例は、先の実施形態例における側板を挟むランプ保持部材１５による、リフレクタ１３ａのパネル中央方向への移動規制に加えて、バックライトシャーシのケース部分１４ｂによる移動規制が与えられ、リフレクタ１３ａの前面縁部の非可逆的な移動が更に効果的に防止される。なお、本実施形態例では、コーナー部に必ずしもランプ保持部材１５を配設しなくともよい。
【００３６】
なお、上記各実施形態例では、ランプ保持部材がリフレクタの前面縁部の移動を防ぐ例を挙げたが、第２の実施形態例では、ランプ保持部材による移動規制は必ずしも必要ではない。また、上記実施形態例では、反射部材のリフレクタがコーナー部に切欠きを有する例を示したが、リフレクタがコーナー部に切欠きを持たず、ランプ保持部材が直接にリフレクタに接触し、リフレクタの変形を防止することで、リフレクタの前面縁部のパネル中央方向への移動を規制してもよい。更に、上記実施形態例で示した材料や構造は例示であり、必要に応じてその変更や修正が可能である。
【００３７】
以上、本発明をその好適な実施形態例に基づいて詳細に説明したが、本発明のバックライト及び液晶表示装置は上記実施形態例の構成にのみ限定されるものではなく、上記実施形態例の構成から種々の修正及び変更を施したものも本発明の範囲に含まれる。
【００３８】
【発明の効果】
以上、説明したように、本発明のバックライトを備える液晶表示装置及び本発明の液晶表示装置では、リフレクタの前面縁部のパネル中央方向への非可逆的な移動が防止できるので、本発明は、リフレクタの前面縁部が表示領域に現れて生ずる表示不良を抑制する効果を奏する。
【図面の簡単な説明】
【図１】本発明の一実施形態例に係るバックライトの照光面側から見た正面図。
【図２】図１のバックライトを有するＬＣＤ装置の断面図。
【図３】図１に示すバックライトのコーナー部の詳細図。
【図４】図３のＩＶ−ＩＶ矢視図。
【図５】（ａ）は、反射部材を製作するためのシート部材の平面図、（ｂ）はその組立後の斜視図。
【図６】本発明の第２の実施形態例に係るバックライトの一部断面図。
【図７】（ａ）は、第２の実施形態例に係るバックライトの反射部材を製作するためのシート部材の平面図、（ｂ）はその組立て後の斜視図。
【図８】従来の液晶パネルの断面図。
【図９】（ａ）は、図８に示すバックライトの反射部材を製作するためのシート部材の平面図、（ｂ）はその組立後の斜視図。
【図１０】特許公報で提案された反射部材の構成を示す斜視図。
【符号の説明】
１０：バックライト
１１：導光板
１２：冷陰極管
１３：反射部材
１３ａ：リフレクタ
１３ａ１、１３ａ２：リフレクタの部分
１３ｂ：反射シート
１３ｃ：側板延長部
１４：バックライトシャーシ
１４ａ：シャーシ本体部分
１４ｂ：シャーシケース部分
１５、１６：ランプ保持部材
１７：両面テープ
１８：シート部材
１８ａ１、１８ａ２、１８ｂ、１８ｃ：シート部材の部分
２０：液晶パネル
３０：光学シート
３１：リード線
４０：外枠
【図１】
2004111153.tif 000003
【図２】
2004111153.tif 000004
【図３】
2004111153.tif 000005
【図４】
2004111153.tif 000006
【図５】
2004111153.tif 000007
【図６】
2004111153.tif 000008
【図７】
2004111153.tif 000009
【図８】
2004111153.tif 000010
【図９】
2004111153.tif 000011
【図１０】
2004111153.tif 000012